(57)【要約】【課題】有機被処理物を有効かつ速やかに分解処理することができる有機被処理物の腐敗、発酵処理方法及びそれに用いられる腐敗、発酵処理剤を提供する。【解決手段】生鮮食品などの有機被処理物の腐敗、発酵処理方法は、竹炭に腐敗菌及び発酵系微生物を含有させた腐敗、発酵処理剤を有機被処理物に混入して腐敗処理及び発酵処理を行い、有機被処理物を分解するものである。腐敗菌としては、竹炭を微粉末にして放置することにより多孔質の竹炭の微細孔内に寄生する日和見菌であることが好ましい。また、発酵系微生物としては、嫌気性の発酵系微生物である有用微生物群（ＥＭ菌）が好ましい。【選択図】なし【特許請求の範囲】
【請求項１】
竹炭に腐敗菌及び発酵系微生物を含有させた腐敗、発酵処理剤を有機被処理物に混入して腐敗処理及び発酵処理を行い、前記有機被処理物を分解することを特徴とする有機被処理物の腐敗、発酵処理方法。
【請求項２】
前記腐敗菌は、多孔質の竹炭の微細孔内に寄生しているものであることを特徴とする請求項１に記載の有機被処理物の腐敗、発酵処理方法。
【請求項３】
前記腐敗菌は、竹炭を微粉末にして放置することにより多孔質の竹炭の微細孔内に寄生する日和見菌であることを特徴とする請求項２に記載の有機被処理物の腐敗、発酵処理方法。
【請求項４】
前記発酵系微生物は、嫌気性の発酵系微生物であることを特徴とする請求項１から請求項３のいずれか一項に記載の有機被処理物の腐敗、発酵処理方法。
【請求項５】
前記嫌気性の発酵系微生物は、有用微生物群（ＥＭ菌）であることを特徴とする請求項４に記載の有機被処理物の腐敗、発酵処理方法。
【請求項６】
前記有用微生物群（ＥＭ菌）は、乳酸菌、光合成細菌、酵母菌、放射菌及び糸状菌を含有するものであることを特徴とする請求項５に記載の有機被処理物の腐敗、発酵処理方法。
【請求項７】
請求項１に記載の有機被処理物の腐敗、発酵処理方法に用いられる腐敗、発酵処理剤であって、竹炭に腐敗菌及び発酵系微生物を含有させたものであることを特徴とする有機被処理物の腐敗、発酵処理剤。
【発明の詳細な説明】
【技術分野】
【０００１】
本発明は、例えば野菜類、魚類、肉類などの有機被処理物に腐敗処理及び発酵処理を施して有機被処理物を分解する有機被処理物の腐敗、発酵処理方法及びそれに用いられる腐敗、発酵処理剤に関するものである。
【背景技術】
【０００２】
従来、野菜類、魚類、肉類などの食品については、一般家庭や飲食店などで飲食されなかったものが廃棄物として排出され、そのような食品廃棄物が焼却されたり、土中に埋められたりして処理されている。特に近年においては、多くの食材を用いて多種、多量の料理が調理され、飲食されなかった多量の食材が排出され、食品廃棄物が大量化する傾向にある。このようにして排出され大量の食品廃棄物を処理するためには、処理能力の大きい焼却設備を必要としたり、埋め込むための土地や埋め込み作業を必要としたりしていた。そのため、食品廃棄物の排出量を減少させ、或いはリサイクルを促進させる取り組みが進められている。
【０００３】
例えば、使用済みの割り箸に炭化処理を施して孔部を有する炭材を形成する工程と、該炭材の孔部に微生物を封入する工程と、食品廃棄物又は畜糞に前記炭材に籾殻を混入する工程と、前記食品廃棄物又は畜糞に微生物が封入された炭材及び籾殻を撹拌する工程とを備える廃棄物の処理方法が知られている（例えば、特許文献１を参照）。この廃棄物の処理方法により、生ゴミリサイクルや畜糞リサイクルを促進でき、食品廃棄物量や畜糞量を低減できると共に、使用済み割り箸の有効利用を図ることができる。
【特許文献１】特開２００６−１３６８２９号公報（第２頁及び第３頁）
【発明の開示】
【発明が解決しようとする課題】
【０００４】
前記特許文献１に記載の廃棄物の処理方法においては、微生物として好気性常温微生物が使用されていることから、有機被処理物である食品廃棄物又は畜糞が分解されるときの雰囲気が好気性であれば好気性常温微生物の働きが促進される。しかしながら、竹炭の微細孔では酸素が少なく嫌気性状態であり、さらに竹炭内で好気性常温微生物によって食品廃棄物又は畜糞の分解が進行すると酸素が消費されて嫌気性状態が助長される。このため、好気性常温微生物の働きが阻害され、食品廃棄物又は畜糞の分解が遅延し、或いは停止する。加えて、好気性常温微生物による発酵、分解だけでは、発酵、分解の速度が遅く、有機被処理物の分解を速やかに行うことができなかった。
【０００５】
本発明は、このような従来技術に存在する問題点に着目してなされたものであり、その目的とするところは、有機被処理物を有効かつ速やかに分解処理することができる有機被処理物の腐敗、発酵処理方法及びそれに用いられる腐敗、発酵処理剤を提供することにある。
【課題を解決するための手段】
【０００６】
上記の目的を達成するために、請求項１に記載の発明の有機被処理物の腐敗、発酵処理方法は、竹炭に腐敗菌及び発酵系微生物を含有させた腐敗、発酵処理剤を有機被処理物に混入して腐敗処理及び発酵処理を行い、前記有機被処理物を分解することを特徴とするものである。
【０００７】
請求項２に記載の発明の有機被処理物の腐敗、発酵処理方法は、請求項１に係る発明において、前記腐敗菌は、多孔質の竹炭の微細孔内に寄生しているものであることを特徴とするものである。
【０００８】
請求項３に記載の発明の有機被処理物の腐敗、発酵処理方法は、請求項２に係る発明において、前記腐敗菌は、竹炭を微粉末にして放置することにより多孔質の竹炭の微細孔内に寄生する日和見菌であることを特徴とするものである。
【０００９】
請求項４に記載の発明の有機被処理物の腐敗、発酵処理方法は、請求項１から請求項３のいずれか一項に係る発明において、前記発酵系微生物は、嫌気性の発酵系微生物であることを特徴とするものである。
【００１０】
請求項５に記載の発明の有機被処理物の腐敗、発酵処理方法は、請求項４に係る発明において、前記嫌気性の発酵系微生物は、有用微生物群（ＥＭ菌）であることを特徴とするものである。
【００１１】
請求項６に記載の発明の有機被処理物の腐敗、発酵処理方法は、請求項５に係る発明において、前記有用微生物群（ＥＭ菌）は、乳酸菌、光合成細菌、酵母菌、放射菌及び糸状菌を含有するものであることを特徴とする。
【００１２】
請求項７に記載の発明の有機被処理物の腐敗、発酵処理剤は、請求項１に記載の有機被処理物の腐敗、発酵処理方法に用いられる腐敗、発酵処理剤であって、竹炭に腐敗菌及び発酵系微生物を含有させたものであることを特徴とするものである。
【発明の効果】
【００１３】
本発明によれば、次のような効果を発揮することができる。
請求項１に記載の発明の有機被処理物の腐敗、発酵処理方法では、竹炭に腐敗菌及び発酵系微生物を含有させた腐敗、発酵処理剤を有機被処理物に混入して腐敗処理及び発酵処理が行われる。このため、多孔質体である竹炭中の微細孔には、嫌気性雰囲気下又は好気性雰囲気下で腐敗菌及び発酵系微生物が存在する。そして、竹炭中の微細孔において、有機被処理物は腐敗菌によって腐敗が促進されて腐敗生成物が生成されると共に、該腐敗生成物は発酵系微生物によって発酵され、分解されるものと考えられる。従って、有機被処理物を腐敗処理及び発酵処理により有効かつ速やかに分解処理することができる。
【００１４】
請求項２に記載の発明の有機被処理物の腐敗、発酵処理方法では、腐敗菌は多孔質の竹炭の微細孔内に寄生しているものであることから、請求項１に係る発明の効果に加えて、表面積の大きい竹炭の微細孔内で腐敗菌の効果を顕著に向上させることができる。
【００１５】
請求項３に記載の発明の有機被処理物の腐敗、発酵処理方法では、腐敗菌は竹炭を微粉末にして放置することにより多孔質の竹炭の微細孔内に寄生する日和見菌であることから、請求項２に係る発明の効果に加えて、簡単な操作で腐敗菌を竹炭内に保持させることができる。
【００１６】
請求項４に記載の発明の有機被処理物の腐敗、発酵処理方法では、発酵系微生物は嫌気性の発酵系微生物であることから、請求項１から請求項３のいずれかに係る発明の効果に加えて、多孔質の竹炭の微細孔内で嫌気性雰囲気下において、発酵系微生物が有機被処理物の発酵を促進させることができる。
【００１７】
請求項５に記載の発明の有機被処理物の腐敗、発酵処理方法では、嫌気性の発酵系微生物が有用微生物群（ＥＭ菌）であることから、請求項４に係る発明の効果に加えて、嫌気性雰囲気下で有機被処理物の発酵、分解を一層促進させることができる。
【００１８】
請求項６に記載の発明の有機被処理物の腐敗、発酵処理方法では、有用微生物群（ＥＭ菌）が乳酸菌、光合成細菌、酵母菌、放射菌及び糸状菌を含有するものであることから、複数の微生物の相乗的作用により、請求項５に係る発明の効果を向上させることができる。
【００１９】
請求項７に記載の発明の有機被処理物の腐敗、発酵処理剤は、請求項１に係る有機被処理物の腐敗、発酵処理方法に用いられるものであって、竹炭に腐敗菌及び発酵系微生物が含有されている。このため、腐敗、発酵処理剤は、請求項１に係る有機被処理物の腐敗、発酵処理方法で好適に使用され、請求項１に基づく効果を発揮することができる。
【発明を実施するための最良の形態】
【００２０】
以下、本発明の最良と思われる実施形態について詳細に説明する。
本実施形態における有機被処理物の腐敗、発酵処理方法は、竹炭に腐敗菌及び発酵系微生物を含有させた腐敗、発酵処理剤を有機被処理物に混入して腐敗処理及び発酵処理を行うものである。有機被処理物としては、ほうれん草、キャベツ、レタス等の野菜類、さば（鯖）、さんま（秋刀魚）等の魚類、豚肉、牛肉、鶏肉等の肉類、味噌、醤油等の調味料などの食品の調理屑や食べ残し屑が挙げられる。そのような有機被処理物は、一般家庭や飲食店において大量に作られ、飲食されず排出された食品廃棄物である。さらに、有機被処理物として、生物の糞尿、河川や海のヘドロ、家庭からの雑排水等も挙げられる。
【００２１】
係る有機被処理物には、炭水化物、タンパク質、脂質（油脂類）などの有機物が含まれている。炭水化物は、糖類をはじめとし、その類似構造を有する有機化合物である。基本的にはＣｎ（Ｈ２Ｏ）ｍで表される一般式を有している。タンパク質は、複数個のアミノ酸がカルボキシル基とアミノ基との間でペプチド結合を形成し、直鎖状に連なった構造を有している。脂質は脂肪酸とグリセリンのエステルなどで構成されている。
【００２２】
次に、竹炭は多孔質物質で、主に腐敗菌及び発酵系微生物を担持する機能を有すると共に、有機被処理物やアンモニア、アミン類等を吸着する性質を有している。この竹炭は、破竹、真竹、モウソウ竹などの竹類を例えば６００〜８００℃に加熱して完全燃焼させ、炭化させることにより得られる。多孔質物質としての竹炭に、同じく多孔質物質としての木炭を混合して用いることができる。係る木炭は、ブナ、カシ、クヌギなどの木材、スギ、ヒノキなどの間伐材を竹炭と同様の条件で炭化させることにより得られる。これらの竹炭又は木炭は、平均粒子径が通常１００μｍ〜１０ｍｍ程度の粉末又は粒状として使用される。竹炭又は木炭の平均粒子径が１００μｍ未満の場合には竹炭又は木炭の製造が難しくなり、１０ｍｍを越える場合には有機被処理物に対する竹炭又は木炭の分散性が低下するため好ましくない。
【００２３】
竹炭は木炭などよりも多孔性である傾向が強いが、それらの微細孔の直径は概ね０．１μｍ〜１００μｍ程度である。しかも、その微細孔は大きさの異なるものが分布しており、腐敗菌及び発酵系微生物の機能がより一層効果的に発揮される。微細孔の直径が０．１μｍ未満の場合には微細孔に腐敗菌、微生物や有機処理物が浸透しにくくなり、一方１００μｍを越える場合には微細孔が大きくなって嫌気性雰囲気下での腐敗及び発酵処理の能力が低くなると共に、微細孔の数が少なくなって腐敗及び発酵処理の効率が低下する。
【００２４】
続いて、腐敗菌は有機被処理物を腐敗させるもので、主に竹炭の微細孔の嫌気性雰囲気下で有機被処理物を腐敗させる機能を発揮するものである。腐敗菌は多孔質の竹炭の微細孔内に寄生しているものであることが好ましく、表面積の大きい竹炭の微細孔内で腐敗菌の働きを向上させることができる。係る腐敗菌は、竹炭を微粉末にして大気中に放置することにより多孔質の竹炭の微細孔内に寄生（発生）させることができ、寄生する腐敗菌は通常日和見菌（日和菌）である。なお、腐敗菌は、所定の条件下に培養して竹炭の微細孔内に寄生させることもできる。
【００２５】
腐敗菌はいわゆる悪玉菌であり、主にタンパク質を分解してアミン化合物、アンモニア、インドール、フェノールなどの腐敗生成物を生成する。この腐敗生成物は悪臭（腐敗臭）の原因物質となる。腐敗菌としては、日和見菌のほか大腸菌、ブドウ球菌、ウェルシュ菌等が挙げられる。
【００２６】
次に、発酵系微生物は、有機被処理物又は前記腐敗菌によって生成した腐敗生成物をさらに発酵させて分解する機能を発揮するものである。発酵系微生物は、約１０族８０種の有効微生物群を含み、それらを複合培養したもの（有用微生物群）である。この発酵系微生物は、光合成微生物、乳酸菌、窒素固定菌（アゾトバクタ）、菌根菌、放射菌及び酵母菌に分けられる。これらのうち、光合成微生物は嫌気性及び好気性のいずれも存在するほか、乳酸菌は嫌気性で機能する。そのほかの窒素固定菌（アゾトバクタ）、菌根菌、放射菌及び酵母菌は、いずれも好気性である。乳酸菌には、ビフィズス菌等が含まれる。有用微生物群（ＥＭ菌）としては、乳酸菌、光合成細菌、酵母菌、放射菌及び糸状菌を含有するものが、それらの微生物による相乗的効果を発揮することができる点から好ましい。
【００２７】
発酵系微生物としては、嫌気性の発酵系微生物及び好気性の発酵系微生物のいずれでも良い。竹炭の内部はそれらの置かれる雰囲気などの条件によって嫌気性又は好気性のいずれにもなり得ることから、嫌気性の発酵系微生物及び好気性の発酵系微生物のいずれもその機能を発揮することができる。竹炭の微細孔内では嫌気性雰囲気になる傾向があるため、発酵系微生物が有機被処理物の発酵を促進させるべく、嫌気性の発酵系微生物であることが好ましい。前記光合成微生物として、代表的には光合成細菌類とラン藻類とが挙げられる。この光合成微生物の作用により、嫌気性雰囲気下で有機物が分解され、発生したメタンなどがさらに分解される。また、乳酸菌は嫌気性雰囲気下で有機被処理物を分解して乳酸関連物質を生成し、その乳酸関連物質をさらに分解する。発酵系微生物による有機被処理物の発酵及び分解は、直接的には発酵系微生物が分泌する炭水化物分解酵素、タンパク質分解酵素、脂質分解酵素等の酵素群の機能に基づいている。
【００２８】
腐敗、発酵処理剤は、前記の竹炭、腐敗菌及び発酵系微生物を混合することにより得られるが、前述のように腐敗菌は竹炭に簡単に寄生させることができるので、それに発酵系微生物を混合することにより得られる。腐敗菌が寄生した竹炭と発酵系微生物との混合割合は、質量比で１：１〜１：２程度が好ましい。この質量比が１：１未満の場合には、腐敗菌の働きに比べて発酵系微生物の働きが不足し、腐敗菌によって生成した腐敗生成物が十分に分解されない傾向を示す。一方、質量比が１：２を越える場合には、発酵系微生物に比べて腐敗菌の割合が少なくなり、腐敗菌の機能が不足して有機被処理物の分解速度が遅くなる傾向を示す。
【００２９】
有機被処理物の腐敗、発酵処理を行う場合には、竹炭に腐敗菌及び発酵系微生物を含有させた前述の腐敗、発酵処理剤を有機被処理物に混入することによって行われるが、有機被処理物に対する腐敗、発酵処理剤の配合量は、５質量％以上であることが好ましく、１０〜２０質量％で腐敗、発酵処理剤の効果を十分に発揮することができる。この配合量が５質量％未満の場合には、腐敗、発酵処理剤の機能を十分に発揮することができず、腐敗処理又は発酵処理が不十分になって好ましくない。腐敗、発酵処理剤を有機被処理物に混入する場合には、腐敗処理及び発酵処理の効率を高めるために撹拌することが望ましい。その場合、撹拌を間欠的に行うことがより望ましい。さらに、腐敗処理及び発酵処理を行う際に、加熱して反応を促進させることもできる。
【００３０】
このような有機被処理物の腐敗、発酵処理を行った後の分解完了に関する判断は、炭酸ガス、アンモニアガス、メタンガスなどの発生が収まって臭いが消えると共に、液が透明化することにより判断される。さらに、炭素量測定装置や窒素量測定装置により、全有機炭素量や全窒素量を測定し、有機被処理物の分解程度を定量的に判断することができる。
【００３１】
さて、本実施形態における有機被処理物の腐敗、発酵処理方法について作用を説明すると、腐敗、発酵処理剤は例えば竹炭を大気中に放置して生成される日和見菌と、嫌気性の発酵系微生物としての有用微生物群とをほぼ等量混合することにより得られる。得られる腐敗、発酵処理剤を有機被処理物として例えば食品廃棄物に混入し、撹拌することで腐敗処理が行われる。このとき、多孔質の竹炭中の微細孔はその表面積が大きく、かつ嫌気性雰囲気にあり、そこには嫌気性雰囲気下で機能を有効に発現する腐敗菌及び発酵系微生物が存在する。そのため、有機被処理物は腐敗菌によって腐敗が促進されて腐敗生成物及びアンモニアガス、メタンガスなどが生成される。引き続いて、その腐敗生成物、アンモニアガス、メタンガスなどは嫌気性の発酵系微生物によってさらに発酵され、その発酵が速やかに進行し、炭酸ガス（二酸化炭素）、水、窒素ガスなどに分解され、分解の完了に到るものと推測される。
【００３２】
以上の実施形態によって発揮される効果について、以下にまとめて記載する。
・  実施形態の有機被処理物の腐敗、発酵処理方法では、竹炭に腐敗菌及び発酵系微生物を含有させた腐敗、発酵処理剤を有機被処理物に混入して腐敗処理が行われる。このため、竹炭の微細孔にて、嫌気性雰囲気下又は好気性雰囲気下で腐敗菌によって有機被処理物が腐敗化されて腐敗生成物が生成され、その腐敗生成物は発酵系微生物によって発酵されて分解される。従って、有機被処理物を腐敗処理と発酵処理との相乗的作用により有効かつ速やかに分解（無機化）することができる。
【００３３】
よって、土の中、ヘドロの中、水の中などの嫌気性雰囲気、或いは大気中、水面近傍などの好気性雰囲気のいずれの雰囲気においても有機被処理物の分解を効果的に行うことができ、広範囲に適用することができて非常に有用である。
【００３４】
・  前記腐敗菌は多孔質の竹炭の微細孔内に寄生しているものであることにより、表面積の大きい竹炭の微細孔内で腐敗菌の効果を顕著に向上させることができる。
・  前記腐敗菌は竹炭を微粉末にして放置し竹炭の微細孔内に寄生する日和見菌であることにより、簡単な操作で腐敗菌を竹炭内に保持させることができる。
【００３５】
・  前記発酵系微生物は嫌気性の発酵系微生物であることにより、多孔質の竹炭の嫌気性雰囲気である微細孔内で発酵系微生物が有機被処理物の発酵を促進させることができる。係る嫌気性の発酵系微生物が有用微生物群（ＥＭ菌）であることにより、嫌気性雰囲気下で有機被処理物の発酵、分解を一層促進させることができる。該有用微生物群（ＥＭ菌）が乳酸菌、光合成細菌、酵母菌、放射菌及び糸状菌を含有するものであることにより、複数の微生物による相乗的効果を発揮させることができる。
【００３６】
・  前記腐敗、発酵処理剤は、上記の有機被処理物の腐敗、発酵処理方法に用いられるものであって、竹炭に腐敗菌及び発酵系微生物が含有されているため、上記の腐敗、発酵処理方法で好適に使用され、その効果を発揮することができる。
【実施例】
【００３７】
以下に、実施例及び比較例を挙げて前記実施形態をさらに具体的に説明する。
（実施例１〜３及び比較例１、２、牛乳の腐敗、発酵処理）
竹炭として、破竹、真竹などの雑竹を６００〜８００℃に加熱して完全燃焼させ、炭化して得られた１００μｍ〜１０ｍｍの微粉炭を使用した。この竹炭を大気中に１日放置し、腐敗菌としての日和見菌を多孔質の竹炭の微細孔内に寄生させた。一方、嫌気性の発酵系微生物として、下記に示す有用微生物群（ＥＭ菌、Effective Microorganisms）を用意した。そして、前記竹炭５０ｇに発酵系微生物を７０ｍｌ（約７０ｇ）混合して腐敗、発酵処理剤を調製した。
【００３８】
有用微生物群
微生物類型                  主要種
１．乳酸菌          Lactobacillus plantarum(ATCC8014)
Lactobacillus casei(ATCC7469)
Streptococcus Lactis(IFO12007)
２．光合成細菌      Rhotdopseudomonas plaustris(ATTC17001)
Rhodobacter sphaeroides(ATTC17023)
３．酵母菌          Saccharomyces cerevisiae(IFO0203)
Candida utilis(IFO0619)
４．放射菌          Steptomyces albus(ATCC3004)
Steptomyces griseus(IFO3358)
５．糸状菌          Aspergillus oryzae(IFO5770)
Mucor hiemalis(IFO8567)
６．その他          自然界に存在する有用菌群で、混合培養の過程で参画するも
ので、ｐＨ３．５以下で生存しうる有用微生物である。
【００３９】
次に、有機被処理物としての牛乳に腐敗、発酵処理剤を１０質量％加えた場合（実施例１）、牛乳に腐敗、発酵処理剤を５０質量％加えた場合（実施例２）及び牛乳に腐敗、発酵処理剤を１００質量％加えた場合（実施例３）について、各サンプルを試験管に入れ、密栓をして放置した。一方、牛乳のみの場合（比較例１）及び牛乳に発酵系微生物のみを加えた場合（比較例２）について、各サンプルを試験管に入れ、密栓をして放置し、所定期間後に試験管を振って混合した。そして、各試験管内の状態を目視にて観察した。その結果を表１に示した。
【００４０】
【表１】
2008062225.tif 000002
その結果、腐敗、発酵処理剤の添加量が最も多かった実施例３では、１０日後に炭酸ガス、アンモニア等のガスが発生しなくなると共に、黒い分解生成物が沈殿すると同時に水が透明化した。従って、この時点で牛乳が発酵されて分解されたものと判断した。また、腐敗、発酵処理剤の添加量が次に多かった実施例２では、１１日後にガスの発生が止まると共に、黒い分解生成物が沈殿し、水も透明化した。従って、この時点で牛乳が発酵されて分解されたものと判断した。さらに、腐敗、発酵処理剤の添加量が最も少なかった実施例１では、１２日後にガスが発生しなくなると共に、分解生成物が沈殿し、水が透明化した。従って、この時点で牛乳が発酵されて分解されたものと判断した。よって、腐敗、発酵処理剤の添加量は、牛乳の１０質量％程度でも腐敗が十分に進行することが明らかになった。このように、有機被処理物である牛乳を速やかに、しかも効果的に腐敗、発酵処理することができた。
【００４１】
一方、牛乳のみの比較例１では、１２日後までにおいて固形物と水分とが分離する傾向を示しただけで、ガスの発生や色の変化はほとんど認められなかった。牛乳に発酵系微生物のみを加えた比較例２では、１２日後までにおいて牛乳の分解による弱い臭気が発生した程度で、栓が飛ぶことはなかった。
（実施例４、５及び比較例３、４、味噌の腐敗、発酵処理）
味噌１００ｇに水２００ｍｌを加え、ミキサーで撹拌、混合してサンプルを調製し、４本の試験管にそれぞれ１１ｍｌずつ入れた。そして、１本の試験管に前記実施例１〜３で用いた腐敗、発酵処理剤を５ｍｌ入れて混合した（実施例４）。別の試験管に前記実施例１〜３で用いた腐敗、発酵処理剤を６．５ｍｌ入れて混合した（実施例５）。一方、さらに別の試験管に何も入れないものを用意した（比較例３）。さらにまた別の試験管に発酵系微生物のみを５ｍｌ入れて混合したものを用意した（比較例４）。
【００４２】
用意した各試験管を密栓して放置し、所定期間後に試験管を振って混合した。そして、各試験管内の状態を目視にて観察した。その結果を表２に示した。
【００４３】
【表２】
2008062225.tif 000003
表２に示したように、実施例４及び５では、２日後にガスが多量に発生して栓が飛んだ。さらに、実施例５では１１日後にガスの発生が止まり、栓が飛ばなくなると共に、臭気も感じなくなった。液も透明になった。また、実施例４では１３日後にガスの発生が止まり、栓が飛ばなくなると共に、臭気の発生も収まった。液も透明になった。一方、有機被処理物としての味噌のみの比較例３及び味噌に発酵系微生物のみを加えた比較例４では、若干のガスの発生や水分の分離が見られたが、大きな変化は認められなかった。
（実施例６、７及び比較例５、６、魚の腐敗、発酵処理）
魚（鯖）１００ｇに水２００ｍｌを加え、ミキサーで撹拌、混合してサンプルを調製し、４本の試験管にそれぞれ１１ｍｌずつ入れた。そして、１本の試験管に前記実施例１〜３で用いた腐敗、発酵処理剤を５ｍｌ入れて混合した（実施例６）。別の試験管に前記実施例１〜３で用いた腐敗、発酵処理剤を６．５ｍｌ入れて混合した（実施例７）。一方、さらに別の試験管に何も入れないものを用意した（比較例５）。さらにまた別の試験管に発酵系微生物のみを５ｍｌ入れて混合したものを用意した（比較例６）。
【００４４】
そして、各試験管に密栓をして放置し、所定期間後に試験管を振って混合した。そして、各試験管内の状態を目視にて観察した。その結果を表３に示した。
【００４５】
【表３】
2008062225.tif 000004
表３に示したように、実施例６及び７では、６日後にガスが多量に発生して栓が飛んだ。さらに、実施例７では１１日後にガスの発生が止まり、栓が飛ばなくなると共に、臭気も感じなくなった。液も透明になった。また、実施例６では１３日後にガスの発生が止まり、栓が飛ばなくなると共に、臭気の発生も収まった。液も透明になった。一方、魚そのままの比較例５及び魚に発酵系微生物のみを加えた比較例６では、若干のガスの発生や水分の分離が見られたが、大きな変化は認められなかった。
（実施例８、９及び比較例７、８、ほうれん草の腐敗、発酵処理）
ほうれん草１００ｇに水２００ｍｌを加え、ミキサーで撹拌、混合してサンプルを調製し、４本の試験管にそれぞれ１１ｍｌずつ入れた。そして、１本の試験管に前記実施例１〜３で用いた腐敗、発酵処理剤を５ｍｌ入れて混合した（実施例８）。別の試験管に前記実施例１〜３で用いた腐敗、発酵処理剤を６．５ｍｌ入れて混合した（実施例９）。一方、さらに別の試験管に何も入れないものを用意した（比較例７）。さらにまた別の試験管に発酵系微生物のみを５ｍｌ入れて混合したものを用意した（比較例８）。
【００４６】
用意した各試験管に密栓をして放置し、所定期間後に試験管を振って混合した。そして、各試験管内の状態を目視にて観察した。その結果を表４に示した。
【００４７】
【表４】
2008062225.tif 000005
表４に示したように、実施例８及び９では、６日後にガスが多量に発生して栓が飛んだ。さらに、実施例９では１１日後にガスの発生が止まり、栓が飛ばなくなると共に、臭気も感じなくなった。液も透明になった。また、実施例８では１３日後にガスの発生が止まり、栓が飛ばなくなると共に、臭気の発生も収まった。液も透明になった。一方、ほうれん草そのままの比較例７及びほうれん草に発酵系微生物のみを加えた比較例８では、若干のガスの発生や水分の分離が見られたが、それ以上の変化は認められなかった。
（実施例１０、１１及び比較例９、１０、肉の腐敗、発酵処理）
肉（豚肉）１００ｇに水２００ｍｌを加え、ミキサーで撹拌、混合してサンプルを調製し、４本の試験管にそれぞれ１１ｍｌずつ入れた。そして、１本の試験管に前記実施例１〜３で用いた腐敗、発酵処理剤を５ｍｌ入れて混合した（実施例１０）。別の試験管に前記実施例１〜３で用いた腐敗、発酵処理剤を６．５ｍｌ入れて混合した（実施例１１）。一方、さらに別の試験管に何も入れないものを用意した（比較例９）。さらにまた別の試験管に発酵系微生物のみを５ｍｌ入れて混合したものを用意した（比較例１０）。
【００４８】
そして、各試験管に密栓をして放置し、所定期間後に試験管を振って混合した。そして、各試験管内の状態を目視にて観察した。その結果を表５に示した。
【００４９】
【表５】
2008062225.tif 000006
表５に示したように、実施例１０及び１１では、２日後にガスが発生して栓が飛んだ。さらに、実施例１１では１１日後にガスの発生が止まり、栓が飛ばなくなると共に、臭気も感じなくなった。液も透明になった。また、実施例１０では１３日後にガスの発生が止まり、栓が飛ばなくなると共に、臭気の発生も収まった。液も透明になった。一方、肉そのままの比較例９及び肉に発酵系微生物のみを加えた比較例１０では、若干のガスの発生や水分の分離が見られたが、それ以上の変化は認められなかった。
（実施例１２、１３及び比較例１１、１２、じゃがいもの腐敗、発酵処理）
じゃがいも１００ｇに水２００ｍｌを加え、ミキサーで撹拌、混合してサンプルを調製し、４本の試験管にそれぞれ１１ｍｌずつ入れた。そして、１本の試験管に前記実施例１〜３で用いた腐敗、発酵処理剤を５ｍｌ入れて混合した（実施例１２）。別の試験管に前記実施例１〜３で用いた腐敗、発酵処理剤を６．５ｍｌ入れて混合した（実施例１３）。一方、さらに別の試験管に何も入れないものを用意した（比較例１１）。さらにまた別の試験管に発酵系微生物のみを５ｍｌ入れて混合したものを用意した（比較例１２）。
【００５０】
そして、各試験管に密栓をして放置し、所定期間後に試験管を振って混合した。そして、各試験管内の状態を目視にて観察した。その結果を表６に示した。
【００５１】
【表６】
2008062225.tif 000007
表６に示したように、実施例１２及び１３では、６日後にガスが多量に発生して栓が飛んだ。さらに、実施例１３では１１日後にガスの発生が止まり、栓が飛ばなくなると共に、臭気も感じなくなった。液も透明になった。また、実施例１２では１３日後にガスの発生が止まり、栓が飛ばなくなると共に、臭気の発生も収まった。液も透明になった。一方、じゃがいもそのままの比較例１１及びじゃがいもに発酵系微生物のみを加えた比較例１２では、若干のガスの発生や水分の分離が見られたが、その他の変化は認められなかった。
（実施例１４、牛乳の腐敗、発酵処理）
前記実施例１で日和見菌を微細孔内に寄生させた竹炭３００ｇに、実施例１で用いた有用微生物群（ＥＭ菌）６００ｍｌ（約６００ｇ）を混合して腐敗、発酵処理剤を調製した。そして、樹脂容器（ペットボトル）内に牛乳１５０ｍｌ、前記腐敗、発酵処理剤及び水６００ｍｌを入れ、常温、嫌気性雰囲気下に８３日間おいて腐敗、発酵処理を行った。その結果、ガスの発生が収まり、臭気もなくなり、黒い分解生成物が沈殿すると同時に水が透明化した。その後、樹脂容器をテドラパックに入れて減圧にし、樹脂容器を開封してガスをテドラパック内に放出した。テドラパック内のガスについて、検知管を用い二酸化炭素（ＣＯ２）、アンモニア（ＮＨ３）、硫化水素（Ｈ２Ｓ）、メルカプタン類及びアミン類の濃度を分析した。ここで、メルカプタン類は、エチルメルカプタン、ブチルメルカプタン等である。アミン類は、エチルアミン、イソプロピルアミン等である。これら成分の濃度分析を２回行い、その平均ガス濃度を算出した。それらの分析結果を表７に示した。
【００５２】
【表７】
2008062225.tif 000008
表７の結果より、牛乳中の油脂、タンパク質、糖分中に含まれる炭素は、二酸化炭素として放出されることがわかった。また、牛乳中のタンパク質に含まれる窒素は、アンモニアとしてではなく、窒素ガスとして放出されているものと考えられる。さらに、牛乳中のタンパク質に含まれる硫黄は、硫化水素やメルカプタン類として放出されることがわかった。
【００５３】
次に、腐敗、発酵処理後の処理液（腐敗、発酵処理牛乳）をホールピペットにより採取し、炭素計〔（株）島津製作所など〕を用いて全炭素量（ｍｇ／ｌ）、無機炭素量（ｍｇ／ｌ）及び全有機炭素量（ｍｇ／ｌ）を測定し、窒素計〔（株）島津製作所など〕を用いて全窒素量（ｍｇ／ｌ）を測定した。比較のために、腐敗、発酵処理を行わなかった未処理牛乳についても測定を行った。それらの結果を表８に示した。
【００５４】
【表８】
2008062225.tif 000009
表８に示した結果より、牛乳中の有機炭素の８７．６％が分解されて除去されると共に、牛乳中の窒素の８３．９％が分解されて除去された。
（実施例１５、河川の水の腐敗、発酵処理）
前記実施例１で日和見菌を微細孔内に寄生させた竹炭１０ｋｇに、実施例１で用いた有用微生物群（ＥＭ菌）１０リットル（約１０ｋｇ）を混合して腐敗、発酵処理剤を調製した。そして、河川（静岡県浜松市の旧二俣川）の水１トンに前記腐敗、発酵処理剤及び糖蜜１０リットルを加え、常温で１週間放置し、腐敗、発酵処理を行った。その結果、ガスの発生が収まり、臭気もなくなると共に、黒い分解生成物が沈殿し、水が透明化した。さらに、腐敗、発酵処理後の水について、亜硝酸、硝酸及びリン酸の濃度変化を各分析装置によって分析した。その結果、亜硝酸に関しては、原水が０．５（ｍｇ／ｌ）であるのに対して腐敗、発酵処理後の水は０．１（ｍｇ／ｌ）であった。硝酸に関しては、原水が２０（ｍｇ／ｌ）であるのに対して腐敗、発酵処理後の水は２（ｍｇ／ｌ）であった。リン酸に関しては、原水が０．６（ｍｇ／ｌ）であるのに対して腐敗、発酵処理後の水は０．３５（ｍｇ／ｌ）であった。このように、腐敗、発酵処理により、原水中の亜硝酸、硝酸及びリン酸の濃度を大幅に低下させることができた。
【００５５】
また、実施例１で日和見菌を微細孔内に寄生させた竹炭と、前記河川の水に有用微生物群（ＥＭ菌）を混合して１週間培養した微生物培養液とを撹拌、混合した。そして、この混合液（腐敗、発酵処理剤）をヘドロが存在する前記河川へ投入したところ、ヘドロがなくなって水が透明化すると共に、悪臭も感じられなくなった。このように、ヘドロが存在する汚れた河川の浄化を果たすことができた。
【００５６】
なお、前記実施形態を次のように変更して実施することも可能である。
・  腐敗、発酵処理剤中には、多孔質物質として竹炭又は木炭以外に、活性炭、珪藻土等を配合することもできる。
【００５７】
・  腐敗処理及び発酵処理を行うに当たり、その雰囲気の酸素を除去して嫌気性雰囲気下に、或いは不活性ガス雰囲気下に行い、腐敗処理及び発酵処理の処理効率を向上させることも可能である。
【００５８】
・  発酵系微生物としては、嫌気性の発酵系微生物に好気性の発酵系微生物が含まれているものであってもよい。
さらに、実施形態より把握される技術的思想について以下に記載する。
【００５９】
・  前記腐敗処理及び発酵処理は、撹拌下に行われることを特徴とする請求項１から請求項６のいずれか一項に記載の有機被処理物の腐敗、発酵処理方法。この方法によれば、請求項１から請求項６のいずれかに係る発明の効果に加えて、腐敗処理及び発酵処理を一層効率良く行うことができる。
【００６０】
・  前記有機被処理物は、生鮮食品の廃棄物であることを特徴とする請求項１から請求項６のいずれか一項に記載の有機被処理物の腐敗、発酵処理方法。この方法によれば、請求項１から請求項６のいずれかに係る発明の効果に加えて、有機被処理物の腐敗、発酵処理方法を最も身近な生鮮食品の廃棄物について適用することができる。
【００６１】
・  前記竹炭に腐敗菌を寄生させ、それに発酵系微生物を混合したものであることを特徴とする請求項７に記載の有機被処理物の腐敗、発酵処理剤。このように構成した場合、請求項７に係る発明の効果に加えて、有機被処理物の腐敗、発酵処理剤を容易に調製することができる。
【００６２】
・  前記腐敗菌は、多孔質の竹炭の微細孔内に寄生していることを特徴とする請求項７に記載の有機被処理物の腐敗、発酵処理剤。この場合、請求項７に係る発明の効果に加えて、表面積の大きい竹炭の微細孔内で腐敗菌の効果を著しく向上させることができる。
【００６３】
・  前記腐敗菌は、竹炭を微粉末にして放置することにより多孔質の竹炭の微細孔内に寄生する日和見菌であることを特徴とする請求項７に記載の有機被処理物の腐敗、発酵処理剤。この場合には、請求項７に係る発明の効果に加えて、簡単な操作で腐敗菌を竹炭内に保持させることができる。
【００６４】
・  前記発酵系微生物は、嫌気性の発酵系微生物であることを特徴とする請求項７に記載の有機被処理物の腐敗、発酵処理剤。この場合、請求項７に係る発明の効果に加えて、多孔質の竹炭の微細孔内で嫌気性雰囲気下において、発酵系微生物が有機被処理物の発酵を促進させることができる。
【００６５】
・  前記嫌気性の発酵系微生物は、有用微生物群（ＥＭ菌）であることを特徴とする請求項７に記載の有機被処理物の腐敗、発酵処理剤。この場合には、請求項７に係る発明の効果に加えて、嫌気性雰囲気下で有機被処理物の発酵、分解を一層促進させることができる。
【００６６】
・  前記有用微生物群（ＥＭ菌）は、乳酸菌、光合成細菌、酵母菌、放射菌及び糸状菌を含有するものであることを特徴とする請求項７に記載の有機被処理物の腐敗、発酵処理剤。この場合、複数の微生物の相乗的作用により、請求項７に係る発明の効果を向上させることができる。